(57)【要約】【課題】浴槽いっぱいに水を張る必要がなく、水の節約が図られる浴水循環装置の水漏れ検査用具を提供する。【解決手段】浴室内に設置される浴槽の吸込口と吐出口との間に設けられる循環流路と、循環流路の途中に接続されるポンプ部と、浴室の天井裏に設置されポンプ部の回転数を制御する制御部と、を備えた浴水循環装置の水漏れ検査用具である。浴槽３の側壁部の開口に連通するように接続される接続部８と、接続部８と連通する筒部９と、を備える。【選択図】図１
2013126470.tif 000002
【特許請求の範囲】
【請求項１】
浴室内に設置される浴槽の吸込口と吐出口との間に設けられる循環流路と、前記循環流路の途中に接続されるポンプ部と、前記浴室の天井裏に設置され前記ポンプ部の回転数を制御する制御部と、を備えた浴水循環装置の水漏れ検査用具であって、前記浴槽の側壁部の開口に連通するように接続される接続部と、前記接続部と連通する筒部と、を備えることを特徴とする浴水循環装置の水漏れ検査用具。
【請求項２】
前記接続部が前記浴槽の前記側壁部の前記開口に接続された時に、前記筒部の上端が前記浴槽の上端面と同じかそれよりも上方に位置することを特徴とする請求項１記載の浴水循環装置の水漏れ検査用具。
【発明の詳細な説明】
【技術分野】
【０００１】
本発明は、浴水循環装置の水漏れ検査用具に関するものである。
【背景技術】
【０００２】
従来より、浴水循環装置が知られている（例えば特許文献１参照）。浴水循環装置は、浴槽に形成される吸込口と吐出口との間に循環流路が接続され、この循環流路の途中にポンプ部が設けられ、ポンプ部を制御する制御部が天井裏に設けられて構成される。そして、ポンプ部が駆動されることで、吸込口から循環流路に浴水が吸込まれ、例えば浴水に空気が混入されたりした後、再び浴水が吐出口から浴槽内に吐出されるものである。また、ポンプ部の回転数は、制御部により適宜制御されるものである。
【先行技術文献】
【特許文献】
【０００３】
【特許文献１】特開２００７−２９６２３６号公報
【発明の概要】
【発明が解決しようとする課題】
【０００４】
ところで、上記のような浴水循環装置は、浴室に設置された後、浴水循環装置やその接続部から水漏れが発生していないかの水漏れ検査のため、試験的に運転が行われる。この場合、水漏れ検査を行う者は、浴槽いっぱいに水を張る必要があり、水が無駄になるおそれがあるものであった。
【０００５】
本発明は上記従来の問題点に鑑みて発明したものであって、その目的とするところは、  浴槽いっぱいに水を張る必要がなく、水の節約が図られる浴水循環装置の水漏れ検査用具を提供することを課題とするものである。
【課題を解決するための手段】
【０００６】
上記課題を解決するために、本発明は、以下のような構成とする。
【０００７】
浴室内に設置される浴槽の吸込口と吐出口との間に設けられる循環流路と、前記循環流路の途中に接続されるポンプ部と、前記浴室の天井裏に設置され前記ポンプ部の回転数を制御する制御部と、を備えた浴水循環装置の水漏れ検査用具であって、前記浴槽の側壁部の開口に連通するように接続される接続部と、前記接続部と連通する筒部と、を備えることを特徴とする。
【０００８】
また、前記接続部が前記浴槽の前記側壁部の前記開口に接続された時に、前記筒部の上端が前記浴槽の上端面と同じかそれよりも上方に位置することが好ましい。
【発明の効果】
【０００９】
本発明の浴水循環装置の水漏れ検査用具は、浴水循環装置に電力を供給することを容易にするものである。
【図面の簡単な説明】
【００１０】
【図１】本発明の一実施形態の水漏れ検査用具の分解斜視図である。
【図２】同上の水漏れ検査用具の断面図である。
【図３】浴室の概略斜視図である。
【図４】浴水循環装置が取り付けられた浴槽を示し、（ａ）は全体構成図であり、（ｂ）は遠隔操作部の正面図である。
【図５】浴水循環装置が取り付けられた浴槽を示し、（ａ）は要部斜視図であり、（ｂ）は要部断面図である。
【図６】電気検査用具の正面図である。
【発明を実施するための形態】
【００１１】
以下、本発明を添付図面に示す実施形態に基いて説明する。図３に示すように、浴水循環装置１は、浴室２内に設置される浴槽３に取り付けられるもので、この浴水循環装置１の電気検査用具４は、浴室２の天井裏に設置されるものである。
【００１２】
浴室２は、本実施形態では、床パン、壁パネル、天井パネル２１が組み立てられてなる略矩形箱状をしたユニットバスにて構成されるが、特にユニットバスに限定されない。天井パネル２１には天井開口２２が形成されており、この天井開口２２を介して天井パネル２１上（すなわち天井裏）に後述する制御部１６や電気検査用具４といった機器が設置可能となっている。この天井開口２２には蓋（不図示）が開閉自在に取り付けられる。床パンには、浴槽３が設置される。
【００１３】
浴槽３は、本実施形態では平面視において浴室２の略半分を占める略矩形状をしたものであるが、形状は特に限定されない。図４、図５に示すように、浴槽３の側壁部３１に、浴槽３の内部空間と連通する吸込口３２と吐出口３３とが形成されるものである。この吸込口３２と吐出口３３は、間隔を隔てて形成されてもよいが、本実施形態では、側壁部３１に形成された一つの開口に開口部材３０が設けられ、この開口部材３０により吸込口３２と吐出口３３とが別々に仕切られて形成されている。そして、吸込口３２と吐出口３３との間に、浴水循環装置１の循環流路１０が接続される。
【００１４】
浴水循環装置１は、少なくとも、循環流路１０と、循環流路１０の途中に接続されるポンプ部１４と、ポンプ部１４の回転数を制御する制御部１６と、を備え、吸込口３２から吸い込んだ浴水を再び吐出口３３から吐出させることができる。本実施形態では、図５に示すように、浴水循環装置１は微細起泡発生装置であり、循環流路１０とポンプ部１４と制御部１６に加え、空気混入部１１と気液溶解部１５とを備えている。なお、浴水循環装置１が、空気混入部１１を備えて気液溶解部１５を備えず、気泡入り浴水を噴出するジェットバス装置であってもよい。またさらに、浴水循環装置１が空気混入部１１を備えなくてもよく、また、循環流路１０とポンプ部１４と制御部１６に加え他の構成を備えていてもよい。
【００１５】
循環流路１０は、本実施形態では、開口部材３０の吸込口３２となる部分に接続される往き配管１０ａと、開口部材３０の吐出口３３となる部分に接続される戻り配管１０ｂとで構成される。往き配管１０ａには、空気混入部１１が設けられる。空気混入部１１は、往き配管１０ａの一部に例えばベンチュリ管のようなくびれ部が形成されるとともに、このくびれ部に空気吸入管１２の下流端が接続されて構成される。空気吸入管１２の上流端が空気吸入口１２ａとなっており、空気吸入口１２ａは浴槽３のフランジ部に設けられてもよく、位置は特に限定されない。また空気吸入管１２には逆止弁１２ｂが設けられることが好ましい。往き配管１０ａと戻り配管１０ｂはポンプ・タンクユニット１３に接続される。
【００１６】
ポンプ・タンクユニット１３は、図５に示すように、外殻ケーシング内にポンプ部１４と気液溶解部１５とを収容している。ポンプ部１４は、上流側に往き配管１０ａの下流端が接続され、下流側に気液溶解部１５への流路が接続される。ポンプ部１４は、特に図示しないが、駆動モータを備え、羽根等を有する回転部が駆動されて液体（浴水）を搬送するもので、駆動モータが制御されることにより回転部の回転数が任意に変更可能である。これにより、ポンプ部１４における液体の搬送能力が変更可能となっている。なお、ポンプ部１４は、液体を搬送することが可能であれば形式等は特に限定されない
気液溶解部１５は、図４に示すように、タンク状をしたものである。浴水の入口部１５ａと出口部１５ｂとが気液溶解部１５の底部の離れた位置に形成され、入口部１５ａにはポンプ部１４からの流路が接続され、出口部１５ｂには戻り配管１０ｂの上流端が接続される。入口部１５ａから流入した浴水は、出口部１５ｂに向けて図４中の矢印のような回転流となって、撹拌が行われ、空気混入部１１で混入された気泡の浴水への溶解が促進される。また、気液溶解部１５の上部には、余剰となった未溶解の空気を排出するため、空気抜き弁１５ｄを備えた空気抜き部１５ｃが設けられる。なお、気液溶解部１５は、このようなものに限定されない。
【００１７】
制御部１６は、図３に示すように、浴室２の天井裏に設置され、ポンプ部１４の回転数を制御するもので、本実施形態ではマイクロコンピュータからなり、制御プログラムにより駆動モータの制御が実行される。制御部１６は、制御ボックス１６ａ内に収容される基板で構成される。この基板には、電力を供給するための電源線１７と、ポンプ部１４を制御するための信号線１８が接続されている。電源線１７と信号線１８は、制御ボックス１６ａ外に伸びており、電源線１７の先端は後述する端子５１ｂに接続され、信号線１８の先端は駆動モータに接続されている。
【００１８】
浴室２には、使用者が制御部１６に指令を与えるための操作を行う遠隔操作部１９が設けられる。遠隔操作部１９は、無線または有線で制御部１６と信号を送信するもので、本実施形態では図４（ｂ）に示すように運転切／入スイッチ１９ａと強／弱切替スイッチ１９ｂとを備えているが、特にこれに限定されない。また本実施形態では、遠隔操作部１９に、運転切／入スイッチ１９ａまたは強／弱切替スイッチ１９ｂが操作されて、制御部１６がその操作に関する動作を実行していることを示す表示ランプ１９ｃが設けられている。
【００１９】
上記のような浴水循環装置１は、以下のようにして微細気泡を発生して浴水を白濁水とするようになっている。
【００２０】
ポンプ部１４が駆動され、吸込口３２から循環流路１０に浴水が吸込まれる。浴水が循環流路１０内を流れると、浴水の水流によって空気吸入管１２を介して空気混入部１１に空気が吸込まれ、浴水中に空気が混入される。空気が混入された浴水がポンプ部１４により加圧されて気液溶解部１５に送られ、気液溶解部１５で撹拌されることで、空気が浴水に溶解する。空気が溶解した浴水が吐出口３３から浴槽３内に吐出されて減圧されることで、浴水に溶解していた空気が微細気泡として浴水中に析出する。微細気泡は平均気泡径が極めて小さいため、分散性及び浮遊性に優れ、水面に上昇して破泡するまで時間がかかり、浴槽３内の浴水に隈なく分散して牛乳風呂のような乳白色の白濁水となる。
【００２１】
上記のような浴水循環装置１は、設置工事の際、施工者が試験的に運転を行うことで、正常に動作するか否かの電気検査が行われる。検査者（施工者）は、通常、簡易電源装置（不図示）を施工現場に持ち込んでいる。簡易電源装置は、電力会社の配電線に接続されたり、原動機等で動作させる自己発電装置を備え、設置工事の電力を賄うもので、コンセントを備えている。点検者は、浴水循環装置１の電気検査の際、この簡易電源装置の電力を利用して浴水循環装置１を駆動させる、これにあたり、制御部１６に電力を供給する電源線１７を簡易電源装置のコンセントに挿入する必要がある。しかしながら、電源線１７が簡易電源装置のコンセントに届くとは限らないため、本実施形態の電気検査用具４が用いられる。
【００２２】
電気検査用具４は、図６に示すように、プレート４１と、端子台５と、コード部６１を備えるものである。プレート４１は、浴室２の天井裏に設置されるもので（図３参照）、表面に端子台５が設けられるとともに、本実施形態では裏面に磁石（不図示）が設けられる。これにより、天井パネル２１が磁性体を備えている場合、磁石によりプレート４１が天井パネル２１に磁着される。
【００２３】
端子台５は、導通する二つの端子５１ａ、５１ｂからなる端子対５１を備えるもので、本実施形態では、２対の所謂即結端子からなる端子対５１を備えており、端子台５に形成されるフランジ５２がねじからなる固着具４２によりプレート４１に固定される。なお、端子対５１の数は限定されず、また、即結端子に限定されない。各端子対５１は、一方の端子５１ａに電源線１７が接続され、他方の端子５１ｂに、プラグ付き電源コード６のコード部６１が接続される。コード部６１は、本実施形態では２本の芯線６１ａがそれぞれ被覆されてなり、その一端（先端とする）にプラグ６２が取り付けられている。また、コード部６１の他端（基端とする）は、被覆が剥かれてそれぞれ他方の端子５１ｂに接続される。本実施形態では、コード部６１の長さは２ｍであるが、３ｍやそれ以上であってもよい。
【００２４】
また本実施形態では電源線１７も同様に、２本の芯線１７ａがそれぞれ被覆されてなり、その一端が制御部１６に接続されるとともに、他端は、被覆１７ｂが剥かれてそれぞれ一方の端子５１ａに接続される。
【００２５】
また本実施形態では、プレート４１の表面に、コード部６１をプレート４１に留めるコード留め部４３が設けられている。コード留め部４３は、所謂サドルバンドからなり、ねじからなる固着具４４によりプレート４１に固定される。
【００２６】
浴水循環装置１が正常に動作するか否かの電気検査の手順について説明する。検査者は、浴水循環装置１の設置工事が終わった後、電気検査用具４のプレート４１を天井裏に取り付け、電源線１７を端子５１ａに接続する。次に、検査者は、天井開口２２を介してコード部６１を浴室２内に入れ、浴室２内または浴室２の近傍に設置されている簡易電源装置のコンセントにプラグ６２を挿入する。そして、検査者は、遠隔操作部１９を操作して、表示ランプ１９ｃが点灯するか確認したり、浴水循環装置１が正常に動作するかを確認するものである。なお、検査者は、電源線１７を端子５１ａに接続した後、プレート４１を天井裏に取り付けてもよい。
【００２７】
上記のような電気検査用具４により、検査者は、プレート４１を天井裏に取り付けて電源線１７を端子５１ａに接続し、コード部６１のプラグ６２を簡易電源装置のコンセントに挿入するという簡単な作業のみで、浴水循環装置１に電力を供給することが可能となる。
【００２８】
また、所謂即結端子が採用されることで、電源線１７の端子５１ａへの接続が容易となるものである。
【００２９】
また、プレート４１に磁石が設けられることで、プレート４１の天井裏への取り付けが容易となる。
【００３０】
また、図示しないが、漏電ブレーカがプレート４１に設けられてもよい。これにより、検査者が電気検査用具４を取り扱う際に、漏電により感電し難くなる。
【００３１】
また、施工者は、上記のような電気検査と合わせて、水漏れ検査を行うものである。水漏れ検査にあたっては、水漏れ検査用具７が用いられる。
【００３２】
水漏れ検査用具７は、浴槽３の側壁部３１の開口に連通するように設置され、循環流路１０の水漏れの有無を検査するものである。水漏れ検査用具７は、具体的には図２に示すように、浴槽３の側壁部３１の開口に連通するように接続される接続部８と、接続部８と連通し上端が浴槽３の上端面３４よりも上方に位置する筒部９と、を備える。本実施形態では、図１に示すように、開口部材３０の浴槽内側部材（不図示）が取り外され、これに代えて椀状をした浴槽側接続部８１が装着される。浴槽側接続部８１には中心孔（開口）が形成されており、この中心孔の周囲から浴槽３内側に向けて、先端にフランジ８３が形成された筒状部８２が突出している。
【００３３】
筒部９は、上下を長手方向とし上端が開放されたもので、上下長さは、浴槽３の開口から上端面３４までの長さと同じかそれよりも長く形成されてるのが好ましい。すなわち、水漏れ検査用具７が開口部材３０に装着された時に、筒部９の上端が浴槽３の上端面３４と同じかそれよりも上方に位置するのが好ましいが、筒部９の上端が概ね浴槽３の上下長さの７割程度あればよい。この筒部９は、透明な部材で形成されることが好ましい。筒部９の下端部には、筒側接続部８４が装着される。筒側接続部８４は、上方に開口し筒部９の下端が嵌入される筒部接続開口８５と、側壁に浴槽接続開口が形成された外殻を備えている。この浴槽接続開口の周囲から外側に向けて、先端にフランジ８７が形成された筒状部８６が突出している。筒側接続部８４と浴槽側接続部８１とで接続部８が構成される。
【００３４】
筒側接続部８４は、そのフランジ８７が浴槽側接続部８１のフランジ８３と重ね合わせられ、フランジ８７、８３同士が連結されることで、筒側接続部８４と浴槽側接続部８１とが連結される。フランジ８７、８３同士の連結は、本実施形態では図１に示すような所謂クイックファスナーからなる連結部材７１により連結される。この連結部材７１は、帯状をしたもので、重ね合わせられられたフランジ８７、８３が挿入される一つの開口が内部に形成されている。そして、前記開口に重ね合わせられられたフランジ８７、８３が挿入され、筒状部８２、８６の周方向に巻きつけられて、端部が連結されるものである。なお、特にクイックファスナーに限定されず、例えばボルト・ナットで締結されてもよい。
【００３５】
また、筒側接続部８４には、側壁に水抜き孔８８が形成され、水抜き孔８８に水抜き栓８９が着脱自在に取り付けられる。
【００３６】
水漏れ検査の手順について説明する。検査者は、浴水循環装置１の設置工事が終わった後、上記のように電気検査用具４を用いて浴水循環装置１に給電可能とし、水漏れ検査用具４を浴槽３に取り付ける。次に、検査者は、筒部９内に水を入れていき、水位が浴槽３の上端面３４付近に至らしめる。この状態で、検査者は、遠隔操作部１９を操作して浴水循環装置１を動作させ、水漏れが発生していないかを検査する。
【００３７】
上記のような水漏れ検査用具７により、水漏れ検査にあたり、浴槽３いっぱいに水を張る必要がなく、水の節約および時間の節約が図られるものである。また、筒部９が透明に形成されることで、白濁しているかが分かり、微細気泡が発生しているか否かが検査可能である。
【符号の説明】
【００３８】
１    浴水循環装置
１０  循環流路
１１  空気混入部
１２  空気吸入管
１４  ポンプ部
１５  気液溶解部
１６  制御部
１７  電源線
１８  遠隔操作部
２    浴室
２１  天井パネル
２２  天井開口
３    浴槽
３０  開口部材
３１  側壁部
３２  吸込口
３３  吐出口
４    電気検査用具
４１  プレート
５    端子台
５１  端子対
５１ａ  一方の端子
５１ｂ  他方の端子
６    プラグ付き電源コード
６１  コード部
６２  プラグ
７    水漏れ検査用具
８    接続部
９    筒部
【図１】
2013126470.tif 000003
【図２】
2013126470.tif 000004
【図３】
2013126470.tif 000005
【図４】
2013126470.tif 000006
【図５】
2013126470.tif 000007
【図６】
2013126470.tif 000008